(57)【要約】      （修正有）【課題】一枚ものの石材１による装飾を実現しつつ、枠体２と石材１との間に間隙を作ることなく石材１を嵌めこむことができる施工方法を提供する。【解決手段】石材１を嵌装可能な枠体２ａ、２ｂと、当該枠体２の内寸Ｗ１と略同様の外寸Ｗ２を有する一の石材１と、当該石材１の外縁を保持可能な吊り紐３とを有し、当該吊り紐３を用いて前記石材１を保持した状態で前記枠体２に当該石材１を嵌めこむ石材１の施工方法であって、前記石材１の外縁と当接する箇所の厚みＷ３が５ミリ以下であると共に、当該石材１の外縁近傍にて切断可能な吊り紐３を用いて前記枠体２ａ、２ｂに石材１を嵌めこむことを特徴とする。【選択図】図３
2007032043.tif 000002
【特許請求の範囲】
【請求項１】
外装材を嵌装可能な枠体と、
当該枠体の内寸と略同様の外寸を有する一の外装材と、
当該外装材の外縁を保持可能な保持具とを有し、
当該保持具を用いて前記外装材を保持した状態で前記枠体に当該外装材を嵌めこむ外装材の施工方法であって、
前記外装材の外縁と当接する箇所の厚みが５ミリ以下であると共に、当該外装材の外縁近傍にて切断可能な保持具を用いて前記枠体に外装材を嵌めこむことを特徴とする施工方法。
【請求項２】
前記外装材が、一枚の石材であることを特徴とする請求項１記載の施工方法。
【請求項３】
前記保持具が、ステンレススチール等の耐錆素材であることを特徴とする請求項１又は２記載の施工方法。
【請求項４】
前記保持具が、ステンレススチール等の耐錆素材の吊り紐を有するものであり、当該吊り紐を用いて外装材を吊り上げ、前記枠体に外装材を嵌めこむことを特徴とする請求項３記載の施工方法。
【請求項５】
前記外装材と前記外装材の基礎となるモルタルとの間に接着剤を介在させた状態で、当該外装材とモルタルとの間に振動を与えて両者を密着させることを特徴とする請求項１乃至４記載の施工方法。
【請求項６】
外装材を嵌装可能な枠体に、当該枠体の内寸と略同様の外寸を有する一の外装材を嵌めこむ際に当該外装材の外縁を保持できる施工用の保持具であって、
当該保持具を、前記外装材の外縁と当接する箇所の厚みが５ミリ以下であると共に、当該外装材の外縁近傍にて切断可能に構成することを特徴とする施工用の保持具。
【発明の詳細な説明】
【技術分野】
【０００１】
この発明は、例えば玄関に石などの外装材を敷設する際に利用される施工方法に関するものである。
【背景技術】
【０００２】
従来、例えば玄関の床の外装材として石材を用いる際の施工方法としては、まず基礎となる枠体を築き、その枠体の中に複数の石材タイルを敷き詰めていくことが多い。（例えば、特許文献１を参照）。
【特許文献１】特開平１１−１２４９９１
【発明の開示】
【発明が解決しようとする課題】
【０００３】
一方、近年では意匠設計の多様化に伴い継ぎ目のない一枚の外装材にて装飾を施したいという要望が強くなってきた。
【０００４】
しかし、玄関の床などは家屋によって様々な形状や広さにて設計される。従って、当該設計に対応しつつ、外装材と枠体との間に隙間を生じさせることなく床面を外装するためには、複数の石材タイルを利用し、当該石材タイルの枚数を増減させるとこで対応せざるを得なかった。よって、複数のタイル目地が入ることを避けられず、要望のデザインを実現することが不可能であった。
【課題を解決するための手段】
【０００５】
そこで、本願は、外装材を嵌装可能な枠体と、当該枠体の内寸と略同様の外寸を有する一の外装材と、当該外装材の外縁を保持可能な保持具とを有し、当該保持具を用いて前記外装材を保持した状態で前記枠体に当該外装材を嵌めこむ外装材の施工方法であって、前記外装材の外縁と当接する箇所の厚みが５ミリ以下であると共に、当該外装材の外縁近傍にて切断可能な保持具を用いて前記枠体に外装材を嵌めこむことを特徴とする。
【０００６】
これにより、一枚の外装材による装飾を実現しつつ、枠体と外装材との間に間隙を作ることなく外装材を嵌めこむことができ、意匠設計の選択自由度を飛躍的に向上させることが可能となる。
【０００７】
具体的には、前記外装材を、一枚の石材とすることが考えられる。
【０００８】
更に、外装材を劣化させないためには、前記保持具を、ステンレススチール等の耐錆素材とするとよい。
【０００９】
また、前記保持具を、ステンレススチール等の耐錆素材の吊り紐とし、当該吊り紐を用いて外装材を吊り上げ、前記枠体に外装材を嵌めこむことにより、簡易な構成にて保持具を機能させることが可能となる。
【００１０】
加えて、前記外装材と前記外装材の基礎となるモルタルとの間に接着剤を介在させた状態で、当該外装材とモルタルとの間に振動を与えて両者を密着させることで、間隙を可及的に減少させることができる。
【発明の効果】
【００１１】
これにより、一枚の外装材による装飾を実現しつつ、枠体と外装材との間に間隙を作ることなく外装材を嵌めこむことができ、意匠設計の選択自由度を飛躍的に向上させることが可能となる。
【発明を実施するための最良の形態】
【００１２】
以下、図面を用いて本願発明の施工方法の一実施形態を説明する。
【００１３】
図１は、外装材である石材１を、枠体２に嵌める工程を示す全体斜視図であり、図２は、外装材である石材１を枠体２に嵌めた状態を示す全体斜視図である。
【００１４】
本実施形態は、図３に示すように、一枚の板石である石材１を利用し、当該板石を内玄関Ｅの床材として基礎構造体に敷設する際の施工方法である。
【００１５】
具体的には、石材１を嵌装可能な枠体２と、当該枠体２の内寸Ｗ１と略同様の外寸Ｗ２を有する一の石材１と、当該石材１の外縁１１ａ、１１ｂ、１１ｃ、１１ｄを保持可能な保持具とを有し、当該保持具を用いて前記石材１を保持した状態で前記枠体２に当該石材１を嵌めこむ石材１の施工方法であって、前記石材１の外縁１１ａ、１１ｂ、１１ｃ、１１ｄと当接する箇所の厚みＷ３が５ミリ以下であると共に、当該石材１の外縁近傍にて切断可能な保持具を用いて前記枠体２に石材１を嵌めこむことを特徴とする施工方法である。
【００１６】
以下、各構成について詳述する。
【００１７】
外装材である石材１は、前述の通り一枚石である平板形状の板石を使用しており、内玄関Ｅの床形状に合わせて平面視矩形状の板石をカットしている。
【００１８】
本実施の形態においては、その厚みＷ３を略２５ミリ、奥行き寸法を１６９０ミリ、幅寸法を２６００ミリとしたコーナー部を有する平面視矩形状の床面形成部１１０と、当該床面形成部１１０と連接して設けた突出部１１１とを有している石材１を利用する場合について説明する。
【００１９】
当該石材１を前記枠体２に嵌合した状態において、石材１の上面は、表面に露出して床面Ｆを形成し、その側周面１１及び底面１２は枠体２内に埋設される。
【００２０】
尚、前記突出部１１１は、後述する玄関ドアの取付け口２１の内寸（開口幅）Ｗ１と略同様の外寸法Ｗ２を有するものであり、突出部１１１の外面１１１aと取付け口２１の内面を当接させ、幅方向に隙間無く取付け口２１に嵌装可能な形状を成している。また、その奥行き寸法を、前記取付け口２１の奥行き寸法の略半分とし、玄関ドアの取付け代を確保している。
【００２１】
側周面１１は、対向する一対の左右外縁１１ａ、１１ｂ及び他の対向する一対の前後外縁１１ｃ、１１ｄから構成している。当該、各外縁１１ａ、１１ｂ、１１ｃ、１１ｄは、後述する保持具を用いて保持される被保持部であり、施工の際には、当該外縁１１ａ、１１ｂ、１１ｃ、１１ｄを保持した状態で前記石材１を枠体２に嵌めこむ。
【００２２】
枠体２は、家屋の基礎構造体の一部を形成するものであり、例えばプレキャストコンクリート等の建築資材にて構成した対向する一対の枠体本体（左右枠体本体２ａ、２ｂ）及び、他の対向する一対の枠体本体（前後枠体本体２ｃ、２ｄ）とを有している。
【００２３】
当該前後左右枠体本体２ａ、２ｂ、２ｃ、２ｄは、長尺方向に略同様の高さ寸法を有する直線状の水平材であり、玄関Ｅの床面施工箇所を他から画するように配置する。
【００２４】
また、当該枠体２により区画された内部には、後述するコンクリート４やモルタル５を敷設している。
【００２５】
尚、前枠体本体２ｃには、玄関Ｅドアを設置するための取付け口２１を開口している。
【００２６】
詳述すると、当該枠体２は、当該左右前後枠体本体２ａ、２ｂ、２ｃ、２ｄを用いて外装材である石材１を隙間無く嵌める凹部、つまり、上方向に向けて開放している開口部２０を有し、前記石材１の厚みＷ３寸法よりも長い深さ寸法を有する凹部を形成している。
【００２７】
当該開口部２０は、前記石材１の表出面（本実施の形態においては、上面）の形状と略同様の平面視矩形状のものであり、前記石材１の外寸Ｗ２と略同様の内寸Ｗ１を有している。
【００２８】
具体的には、前記石材１の前後左右外縁１１a、１１ｂ、１１ｃ、１１ｄの各々に対応した長さを有する前後左右内側辺を有している。換言すると、対向する一対の枠体本体（左右枠体本体２ａ、２ｂ）の内面間の距離Ｗ１と、対向する一対の左右外縁１１ａ、１１ｂ間の距離Ｗ２とを略同様とすると共に、他の対向する一対の枠体本体（前後枠体本体２ｃ、２ｄ）の内面間の距離Ｗ１と、他の対向する一対の前後外縁１１ｃ、１１ｄ間の距離Ｗ２とを略同様とする。
【００２９】
保持具は、石材１を嵌装可能な枠体２に、当該枠体２の内寸と略同様の外寸を有する一の石材１を嵌めこむ際に当該石材１の外縁を保持できる施工用の保持具である。
【００３０】
詳述すると、保持具は、略３ミリの厚さＷ３（直径）を有するステンレススチール等の耐錆素材で構成した二本の吊り紐３であり、前記石材１を保持する保持部３１及び当該石材１を吊り上げる吊下部３２とを有している。
【００３１】
また、当該吊り紐３は、ステンレススチール等の切断可能な素材にて構成しているため、任意の位置にて切断することができる。また、例えば圧力をかけることにより、その厚みＷ３寸法を圧縮することができる。
【００３２】
保持部３１は、前記石材１の外縁を保持する外縁保持部３１ａと、石材１の底面１２を保持する底面保持部３１とからなり、当該外縁保持部３１ａにて対向する一対の外縁（左右外縁１１ａ、１１ｂ、又は、前後外縁１１ｃ、１１ｄ）の両端近傍複数箇所を保持すると共に、当該底面保持部３１にて、対向する一対の外縁（左右外縁１１ａ、１１ｂ、又は、前後外縁１１ｃ、１１ｄ）間を横架する状態に保持することで、当該石材１を水平な状態に保持することができる構成としている。
【００３３】
また、当該保持部３１の上方には、クレーンＣ等にて吊り下げ可能な吊下部３２を形成している。
【００３４】
次に、具体的な施工方法について説明する。
【００３５】
（１）基礎工程等
まず、前述の通り家屋の基礎を打つ際に、内玄関Ｅの土間となる部分を囲み、床の外装材となる石材１を嵌合するための前記枠体２を形成し、上方に開放する開口部２０を設ける。
【００３６】
そして、当該開口部２０から図示しない根切り底に割栗石を適切な厚み分敷設し、転圧する。その後、当該割栗石の上からコンクリート４を流し込み、上面が水平面となるように平坦化させた後に固化させる。そして、内玄関Ｅのサッシ枠のサイズを確認してモルタル５位置の墨だしを行い、前記コンクリート４の上からモルタル５を枠体２の開口部２０に塗っていく。
【００３７】
当該モルタル５の塗り厚みは、仕上がりを５０ミリ以上とするため、石材１の重量にて沈み込む分を考慮し、仕上げの厚みの５０ミリよりも多い目に塗り上げる。
【００３８】
（２）外装材嵌め込み工程
事前に内玄関Ｅの床面Ｆサイズ（前記枠体２の内寸Ｗ１と略同様の外寸Ｗ２を有するサイズ）に合わせて石材１をカットする。そして、前記吊り紐３を、当該石材１の外側から掛けまわす。具体的には、当該吊り紐３にて、対向する一対の外縁の両端近傍複数箇所及び対向する一対の外縁間を横架するように保持し、当該石材１を水平な状態に保持する。そして、当該石材１を吊下部３２を用いてクレーンＣにて吊り上げ、石材１の前記突出部１１１が、枠体２の前記取付け口２１に勘合するように挿入位置を考慮しつつ、前記枠体２の開口部２０へ石材１を挿入して勘合させる。
【００３９】
尚、石材１の底面１２には、石材１をモルタル５とを接着可能な接着剤を事前に塗布している。
【００４０】
石材１が枠体２に勘合した状態においては、吊り紐３は、枠体２の内面と石材１の外面とにより圧縮されるため、枠体２の側周面と石材１の側周面１１同士、枠体２の底面と石材１の底面１２同士は、略隙間無く当接する状態となる。
【００４１】
その後、枠体２内面と石材１外面間に挟まれた吊り紐３を引き抜くか、若しくは、可能な限り石材１上面近傍（外縁近傍）にて切断する。
【００４２】
尚、挿入後には、石材１を墨だしの位置に収める
石材１挿入後、前述の通り事前に塗布した接着剤を石材１とモルタル５間に介在させた状態で、石材１の上面よりバイブレータ等で振動を与え、両者を密着させて更に間隙を無くす。
【００４３】
尚、当該バイブレータは、石材１に亀裂を生じさせないため、石材１の面方向（横方向）の振動を与えるものである。
【００４４】
基礎に石材１を設置した後は、建築中に石材１が破損しないよう保護材である発泡スチロールコンパネ等にて石材１の露出面を覆った状態にて養生する。
【００４５】
以上の施工方法により、一枚の石材１による装飾を実現しつつ、枠体２と石材１との間に間隙を作ることなく石材１を嵌めこむことができ、意匠設計の選択自由度を飛躍的に向上させることが可能となる。
【００４６】
更に、前記保持具を、ステンレススチール等の耐錆素材としているため、石材１を劣化させない。
【００４７】
また、前記保持具を、ステンレススチール等の耐錆素材の吊り紐３とし、当該吊り紐３を用いて石材１を吊り上げ、前記枠体２に石材１を嵌めこむことにより、簡易な構成にて保持具を機能させることが可能となる。
【００４８】
加えて、前記石材１と当該石材１の基礎となるモルタル５との間に接着剤を介在させた状態で、当該前記石材１とモルタル５との間に振動を与えて両者を密着させることで、間隙を可及的に減少させることができる。
【００４９】
尚、各部の具体的な構成は、上述した実施形態のみに限定されるものではなく、本発明の趣旨を逸脱しない範囲で種々変形が可能である。
【００５０】
例えば、本実施の形態においては、何れの箇所においても切断可能な吊り紐３を利用していたが、石材１の外縁近傍のみを切断可能な素材にて構成し、他の部位を異素材（より荷重に耐えられる素材等）にて構成してもよい。
【００５１】
更に、本実施の形態においては、保持具の厚みＷ３を３ミリとしたが、５ミリ以下、例えば１ミリから５ミリの範囲で変えることも可能である。
【００５２】
加えて、石材１の外縁を挟持することにより保持する保持部３１を有する保持具とすることも考えられる。
【００５３】
また、切断後に外装材側に残存する保持具を、経時に伴って腐食する天然素材にて構成し、外装材側に残存しないようにすることもできる。
【００５４】
更に、本実施の形態においては、玄関Ｅの床面Ｆなどの水平面の施工に本願発明の施工方法を利用したが、壁面などの垂直面の施工に利用してもよい。
【００５５】
加えて、外装材は、本実施形態のようにコーナー部を有する平面視矩形状のもののみならず、円形等のものでもいいのは勿論である。
また、枠体２は、本実施形態のように必ずしも四方を囲むもので無くとも、当該枠体２に外装材を嵌装させた状態で対応する外装材の一の外寸Ｗ２と略同様の一の内寸Ｗ１を有する枠体２であればよい。具体的には、例えば対向する左右一対の枠体本体間の距離（枠体２の内寸Ｗ１）と、外装材の左右一対の外縁間の寸法（外装材の外寸Ｗ２）とが略同様で、石材１の面方向の移動が禁止されるような枠体２でもよい。
【図面の簡単な説明】
【００５６】
【図１】本発明の一実施形態に係る外装材を嵌めこむ工程を示す斜視図。
【図２】同実施形態に係る外装材を嵌め込んだ状態を示す斜視図。
【図３】同実施形態に係る施工方法の工程を示す概略縦断面図。
【図４】同実施形態に係る外装材を嵌め込んだ状態を示す平面図。
【符号の説明】
【００５７】
１・・・外装材（石材）
１１a・・・左外縁
１１ｂ・・・右外縁
１１ｃ・・・前外縁
１１ｄ・・・後外縁
２・・・枠体
３・・・保持具（吊り紐）
Ｗ１・・・内寸
Ｗ２・・・外寸
５・・・モルタル
【図１】
2007032043.tif 000003
【図２】
2007032043.tif 000004
【図３】
2007032043.tif 000005
【図４】
2007032043.tif 000006